(57)【特許請求の範囲】
【請求項１】
台脚に調理器本体を上下高さ調節可能に載置するものにおいて、上記調理器本体の下方で底板に近接した位置にガス配管を配設すると共に、上記台脚の内側面にガイドレールを固定し、このガイドレールにて上記調理器本体下方の台脚内空間に収納ケースを前後方向に摺動自在に収納し、上記収納ケースの前端に、上記台脚の前面を開閉自在に閉塞する蹴込み扉を固定し、かつ上記蹴込み扉を、上記収納ケースの前端に固定したベース板と、このベース板に上下方向に調節可能に固定した前板で構成し、この前板の取付け位置を上記調理器本体の高さ位置に応じて調節する事を特徴とする床置型調理器。
【請求項２】
上記ガス配管と収納ケースの上端間に仕切金具を配設した事を特徴とする、上記請求項１に記載の床置型調理器。
【発明の詳細な説明】
【０００１】
【発明の属する技術分野】
本発明は、主に台所の流し台等に並べて設置する様に、台脚に調理器本体を上下高さ調節可能に載置した床置型調理器に関する。
【０００２】
【従来の技術】
台所の流し台等と組み合わせて設置される床置型調理器では、流し台の高さ寸法が複数種類販売されている為、一般的には調理器本体の高さ寸法を調節出来る様に構成されている。
【０００３】
一方、近年主婦の身長が高くなる傾向にあり、これに合わせて高さ寸法の高い流し台が好まれつつあるが、この種床置型調理器では、調理器本体の下方にガス配管の配管スペースを設けており、調理器本体の高さ寸法が高くなると配管スペースが大きくなり、このスペースが有効に利用されていないという問題がある。
【０００４】
【発明が解決しようとする課題】
そこで本発明は、調理器本体の下方に生じる配管スペースを有効利用する事を目的とするものである。
【０００５】
【課題を解決するための手段】
本発明は、台脚に調理器本体を上下高さ調節可能に載置するものにおいて、調理器本体の下方で底板に近接した位置にガス配管を配設すると共に、台脚の内側面にガイドレールを固定し、このガイドレールにて調理器本体下方の台脚内空間に収納ケースを前後方向に摺動自在に収納し、収納ケースの前端に、台脚の前面を開閉自在に閉塞する蹴込み扉を固定し、かつ蹴込み扉を、収納ケースの前端に固定したベース板と、このベース板に上下方向に調節可能に固定した前板で構成し、この前板の取付け位置を調理器本体の高さ位置に応じて調節する様に構成したものである。
【０００９】
そして更に本発明は、ガス配管と収納ケースの上端間に仕切金具を配設したものである。
【００１０】
【発明の実施の形態】
本発明の実施例を先ず図１〜図３に基づき説明すると、１は図示しないガスバーナの燃焼熱気による加熱と高周波加熱とを組合せた調理器本体で、台脚２に上下高さを調節可能に載置されていると共に、内部に前面を開口３し、かつこの開口より被調理物を出し入れする調理室４を区画形成している。
【００１１】
又上記調理室４に隣接する一側方には、この調理室内に高周波電波を供給するマグネトロン５と、このマグネトロンに電力を供給する高周波トランス６等を配設し、かつ上記開口３は、ドア７により開閉自在に閉塞している。
【００１２】
一方上記台脚２は、左右一対の脚板８、８を前後に配設した連結板９、９にて結合して構成していると共に、上記脚板８，８の内側面にレール支持板１０、１０を固定し、かつこれらレール支持板の内側面にガイドレール１１，１１を固定している。
【００１３】
上記脚板８、８には、その前後適所に、複数の高さ位置にてネジ孔１２・・を穿孔し、組み込む流し台の高さに合わせてこれらのネジ孔の高さ位置を選択して調理器本体１をネジ１３・・止めすることで、調理器本体１の高さを調節出来るものである。
【００１４】
１４は、上記台脚２内のガス配管用の空間１５上部で、上記調理器本体１の底板１６近接位置に配設されたガス配管で、その途中に元栓１７を接続している。
【００１５】
１８は、上記空間１５内の上記ガス配管１４の下方に前後方向に摺動自在に収納された収納ケースで、左右の外側壁に固定したスライドレール１９、１９を、ボールベアリング２０・・を介して上記ガイドレール１１、１１に前後方向に摺動自在に係合しており、ケース内には、付属部品の角皿２１や網棚２２等を収納している。
【００１６】
２３は、上記空間１５内のガス配管１４と収納ケース１８との間に横設した仕切金具で、金属パイプ等で形成し、収納ケース１８内に収納された付属品や台所用品が収納ケースの上端面よりも上方に突出していた場合には、該突出部分が当たってガス配管１４への衝突を防止する様に構成している。
【００１７】
２４は上記収納ケース１８の前端面に装着した蹴込み扉で、図４にても示す様に、収納ケース１８の前壁を形成し、かつ横幅寸法を上記スライドレール１９、１９の横幅よりも広く形成したベース板２５と、このベース板の前面にビス２６・により固定した前板２７とから構成し、ベース板２５の前面左右両端部に、複数の高さ位置にネジ孔２８・・を穿孔し、上記調理器本体１の高さ位置に合わせてネジ孔２８・・の高さを選択設定することで、前板２７の高さ位置を調節する様に構成している。
【００１８】
２９は、上記脚板８の前端部で、上記蹴込み扉２４を構成するベース板２５に対向位置して装着したマグネットキャッチで、上記収納ケース１８の押し込み時に、ベース板２５の内面に吸着して、収納ケース１８を押し込み位置に固定するものである。
【００１９】
尚、上記実施例ではマグネットキャッチ２９を収納ケース１８の左側に装着しているが、例えば図５にて示す様に右側の脚板８の前端部に装着しても良い。
【００２０】
又、例えば図６にて示す様に、ガス配管１４が床面より立ち上がって配管されている場合には、例えば上記連結板９、９の上記ガス配管１４の立ち上がり位置を避けてレール支持板３０を立設し、このレール支持板にガイドレール１１を固定し、このガイドレールにスライドレール１９を摺動自在に係入することで、収納ケース１８を引き出し自在に収納する様に構成しても良い。
【００２１】
上記図６にて示す実施例の場合には、ガス配管１４の立ち上がりスペースを確保する為に、収納ケース１８の横幅寸法を小さく構成している。
【００２２】
図７及び図８は本発明の他の実施例を示すもので、上記調理器本体１の台脚２内に収納ケース１８を前後方向に摺動自在に収納していると共に、この収納ケースの前端面にベース板２５を複数のビス３１・・により着脱可能に固定し、かつこのベース板の上端部に前板２７を複数のビス２６・により着脱可能に固定している。
【００２３】
又上記ベース板２５は、図９にても示す様に上記収納ケース１８の側板３２，３２に穿孔した複数のネジ孔３３・・により上下方向の取付け高さを調節自在に構成し、これにより、例えば図８中に示す様に、調理器本体１前方の床面にカーペット３４等が敷かれた場合には、このカーペットの厚さに応じてベース板２５の取付け位置を高くし、このベース板がカーペットに当って引き出し操作に支障を来さない様に構成している。
【００２４】
尚、上記実施例ではネジ孔３３・・を上下２段階に調節する様に構成しているが、これに限定されることなく、３段階以上や、長孔により無段階に調節する様に構成しても良い。
【００２５】
一方、上記前板２７は、図１０にても示す様に上記ベース板２５の左右両側の上端部に穿孔した複数のネジ孔２８・・と複数のビス２６・・により、ベース板２５に上下方向の取付け高さを調節自在に固定し、上記調理器本体１の高さ寸法や前板２７の取付け高さに応じて、取付け位置を調節する様に構成している。
【００２６】
尚、上記実施例では収納ケース１８の前面に前壁３５を一体に折り曲げ形成しているが、上記ベース板２５により収納ケース１８の前壁を兼用しても良い。
【００２７】
而して、調理器本体１の設置に際しては、組み合わせる流し台等の高さに合わせて脚板８、８に穿孔したネジ孔１２・・を選択して、調理器本体１の取り付け高さを調節する。
【００２８】
次いで、上記調理器本体１の高さ寸法に合わせて蹴込み扉２４のベース板２５に穿孔したネジ孔２８・・を選択し、ベース板２５に対する前板２７の取り付け高さ位置を調節することで、器具の高さ調節を行う事が出来る。
【００２９】
又、収納ケース１８内に付属部品等を収納したり、収納した付属部品等を取り出す場合には、蹴込み扉２４をマグネットキャッチ２９の吸着力に抗して手前に引き出すことで、簡単に行う事が出来るものである。
【００３０】
これにより、調理器本体１下方の配管スペースを有効に利用して、調理器の付属部品や台所用品等を保管することが出来ると共に、蹴込み扉２４を引き出し式に構成することができ、ガス配管１４の元栓１７の開閉操作をスムーズに行う事が出来るものである。
【００３１】
【発明の効果】
本発明の構成により、調理器本体の下方で底板に近接した位置にガス配管を配設すると共に、台脚の内側面にガイドレールを固定し、このガイドレールにて調理器本体下方の台脚内の空間に収納ケースを前後方向に摺動自在に収納し、かつ収納ケースの前端に台脚の前面を開閉自在に閉塞する蹴込み扉を固定し、この蹴込み扉を、ベース板とベース板に上下調節可能に固定した前板で構成したことで、調理器本体下方の配管スペースを有効的に利用して付属部品等を収納する事が出来ると共に、調理器本体の高さ寸法に応じて蹴込み扉の高さ寸法を簡単に調節する事が出来るものである。
又、ガス配管の下方に収納ケースを配置したことで、調理器本体を高い位置に固定した場合には、収納ケースの収納スペースを大きくすることが出来るものである。
【００３３】
そして又本発明の構成により、前板を収納ケースの前面に上下調節可能に固定したことで、調理器本体前面の床面にカーペット等が敷かれても、このカーペットの厚さに応じて前板の取付け高さを調節することができ、カーペットにより収納ケースの出し入れ操作に支障を来すことがないものである。
【００３５】
そして更に本発明の構成により、収納ケースとガス配管との間に仕切金具を配設したことで、収納ケース内に、誤って空間の高さ寸法よりも高い付属部品等を収納したまま収納ケースを押し込まれても、付属部品等が仕切金具に当たることで、付属部品等のガス配管への衝突によるガス配管の損傷等を防止する事が出来るものである。
【図面の簡単な説明】
【図１】本発明による実施例を示す斜視図である。
【図２】同じく側面縦断面図である。
【図３】同じく正面縦断面図である。
【図４】本発明による収納ケースの実施例を示す一部分解斜視図である。
【図５】本発明の他の実施例を示す斜視図である。
【図６】同じく他の実施例を示す正面縦断面図である。
【図７】本発明の他の実施例を示す斜視図である。
【図８】同じく他の実施例を示す側面縦断面図である。
【図９】同じく他の実施例を示す要部の分解斜視図である。
【図１０】同じく他の実施例を示す要部の分解斜視図である。
【符号の説明】
１    調理器本体
２    台脚
１１  ガイドレール
１４  ガス配管
１５  空間
１８  収納ケース
２３  仕切金具
２４  蹴込み扉
２５  ベース板
２７  前板
２９  マグネットキャッチ
【図１】
0003857867.tif 000002
【図２】
0003857867.tif 000003
【図３】
0003857867.tif 000004
【図４】
0003857867.tif 000005
【図５】
0003857867.tif 000006
【図６】
0003857867.tif 000007
【図７】
0003857867.tif 000008
【図８】
0003857867.tif 000009
【図９】
0003857867.tif 000010
【図１０】
0003857867.tif 000011